(57)【要約】【課題】中に収容されている出口チャンバとこの出口チャンバから外部高圧連結部に通じる出口通路とを有する圧縮機ハウジングを備える、冷媒圧縮機、特に容積形圧縮機を提供する。【解決手段】その内部における脈動が可能な限り大きく減衰されるように改良するために、出口チャンバの後に続く圧縮機ハウジングの出口通路の中に脈動減衰要素が挿入されていることと、この脈動減衰要素が、出口チャンバに面しておりかつ出口通路の横断面全体にわたって延びる入口バッフルと、この入口バッフルとは反対側に位置している、出口通路の横断面全体にわたって延びる出口バッフルとを有することと、少なくとも１つの反射チャンバが入口バッフルと出口バッフルとの間に設けられていることと、入口バッフルと出口バッフルの各々が、それぞれに他のバッフル上の反射表面に面している少なくとも１つの通路を有することとを特徴とする冷媒圧縮機。【選択図】図１
2006329197.tif 000002
【特許請求の範囲】
【請求項１】
中に収容されている出口チャンバ（２４）と前記出口チャンバ（２４）から外部高圧連結部（３４）に通じる出口通路（３２）とを有する圧縮機ハウジング（１２）を備える、冷媒圧縮機、特に、容積形圧縮機において、脈動減衰要素（４０）が、前記出口チャンバ（２４）の後に続く前記圧縮機ハウジング（１２）の前記出口通路（３２）の中に挿入されていることと、前記脈動減衰要素（４０）が、前記出口チャンバ（２４）に面しておりかつ前記出口通路（３２）の横断面全体にわたって延びる入口バッフル（４２）と、前記入口バッフル（４２）とは反対側に位置している、前記出口通路（３２）の横断面全体にわたって延びる出口バッフルとを有することと、少なくとも１つの反射チャンバ（５０、６０）が前記入口バッフル（４２）と前記出口バッフル（４４）との間に設けられていることと、前記入口バッフル（４２）と前記出口バッフル（４４）の各々が、それぞれに他の前記バッフル（４４、４２）上の反射表面（５８、６２）に面している少なくとも１つの通路（４６、６６）を有することとを特徴とする冷媒圧縮機。
【請求項２】
前記減衰要素（４０）は、前記冷媒圧縮機（１０）の基本周波数の高次高調波で互いに打ち消し合う定在波が前記減衰要素内で形成されるように設計されていることを特徴とする請求項１に記載の冷媒圧縮機。
【請求項３】
互いに打ち消し合う幾つかの定在波が前記減衰要素（４０）内で形成され、および、前記定在波は前記基本周波数の異なる高次高調波に相当することを特徴とする請求項２に記載の冷媒圧縮機。
【請求項４】
前記バッフル（４２、４４）各々の中の少なくとも１つの通路（４６、６６）が、前記反射チャンバ（５０、６０）にまで達するパイプ部品（４８、６８）によって形成されていることを特徴とする請求項１から３のいずれか一項に記載の冷媒圧縮機。
【請求項５】
前記パイプ部品（４８、６８）は、前記それぞれに他のバッフル（４４、４２）上に設けられている前記反射表面（５８、６２）に面することを特徴とする請求項４に記載の冷媒圧縮機。
【請求項６】
前記通路（４６、６６）の各々は内側開口（５４、５６）を有し、前記通路（４６、６６）に比較して前記反射チャンバ（５０、６０）に向かう断面積の急増が前記内側開口で生じることを特徴とする請求項１から５のいずれか一項に記載の冷媒圧縮機。
【請求項７】
前記内側開口（５４、６４）は前記それぞれに他のバッフル（４４、４２）から一定の距離（ＡＥ、ＡＡ）に配置されていることを特徴とする請求項１から６のいずれか一項に記載の冷媒圧縮機。
【請求項８】
前記内側開口（５４、６４）は、前記それぞれの通路（４６、６６）を有する前記バッフル（４２、４４）に対してよりも、前記それぞれに他のバッフル（４４、４２）に対してより近くに配置されていることを特徴とする請求項７に記載の冷媒圧縮機。
【請求項９】
前記１つのバッフル（４２、４４）の前記少なくとも１つのパイプ部品（４８、６８）は、内側末端区域（７２、７４）によって前記それぞれに他のバッフル（４４、４２）の前記パイプ部品（６８、４８）と重なり合うように配置されていることを特徴とする請求項４から８のいずれか一項に記載の冷媒圧縮機。
【請求項１０】
前記パイプ部品（４８、６８）は、前記内側末端区域（７２、７４）の領域内で互いに連結されていることを特徴とする請求項９に記載の冷媒圧縮機。
【請求項１１】
前記一方のバッフル（４２）内の前記少なくとも１つの通路（４６）は、前記他方のバッフル（４４）の内の前記少なくとも１つの通路（６６）と概ね同一の流れ断面積を有することを特徴とする請求項１から１０のいずれか一項に記載の冷媒圧縮機。
【請求項１２】
前記入口バッフル（４２）は幾つかの通路（４６ａ、４６ｂ）を有することを特徴とする請求項１から１１のいずれか一項に記載の冷媒圧縮機。
【請求項１３】
前記幾つかの通路（４６ａ、４６ｂ）は、前記減衰要素（４０）の中心軸線（５６）の周りに配置されていることを特徴とする請求項１２に記載の冷媒圧縮機。
【請求項１４】
前記幾つかの通路（４６ａ、４６ｂ）は、回転対称の形で前記中心軸線（５６）の周りに配置されていることを特徴とする請求項１２に記載の冷媒圧縮機。
【請求項１５】
前記出口バッフル（４４）は幾つかの通路（６６）を有することを特徴とする請求項１から１４のいずれか一項に記載の冷媒圧縮機。
【請求項１６】
前記幾つかの通路（６６）は、前記減衰要素（４０）の前記中心軸線（５６）の周りに配置されていることを特徴とする請求項１５に記載の冷媒圧縮機。
【請求項１７】
前記幾つかの通路（６６）は、回転対称の形で前記中心軸線（５６）の周りに配置されていることを特徴とする請求項１６に記載の冷媒圧縮機。
【請求項１８】
前記入口バッフル（４２）の前記少なくとも１つの通路（４６）の前記流れ断面積の合計が、前記出口通路（３２）の前記流れ断面積の２５％よりも大きいことを特徴とする請求項１から１７のいずれか一項に記載の冷媒圧縮機。
【請求項１９】
前記出口バッフル（４４）の前記少なくとも１つの通路（６６）の前記流れ断面積の合計が、前記出口通路（３２）の前記流れ断面積の２５％よりも大きいことを特徴とする請求項１から１８のいずれか一項に記載の冷媒圧縮機。
【請求項２０】
前記減衰要素（４０）は、外側装着要素（８０）によって所定の位置に固定されるようになっていることを特徴とする請求項１から１９のいずれか一項に記載の冷媒圧縮機。
【請求項２１】
前記バッフル（４４）の１つは、装着要素として働くフランジ区域（８０）を備えていることを特徴とする請求項２０に記載の冷媒圧縮機。
【発明の詳細な説明】
【技術分野】
【０００１】
本発明は、中に収容されている出口チャンバとこの出口チャンバから外部高圧連結部に通じる出口通路とを有する圧縮機ハウジングを備える、冷媒圧縮機、特に、例えばピストン圧縮機またはスクロール圧縮機のような容積形圧縮機に関する。
【背景技術】
【０００２】
このタイプの冷媒圧縮機は最新技術において公知である。この冷媒圧縮機では、特にピストン圧縮機である場合に、脈動が出口チャンバから隣接したパイプシステムに伝播し、および、この脈動が、一方では、そのパイプシステムにおける望ましくない騒音を生じさせ、他方では、圧縮ピークのせいでそのパイプシステムに機械的応力を生じさせる。
【発明の開示】
【発明が解決しようとする課題】
【０００３】
したがって、本発明の基礎となる目的は、汎用タイプの冷媒圧縮機内の脈動が可能な限り大きく減衰させられるように、この汎用タイプの冷媒圧縮機を改良することである。
【課題を解決するための手段】
【０００４】
この目的は、文頭で説明したタイプの冷媒圧縮機において、脈動減衰要素が出口チャンバの後に続く圧縮機ハウジングの出口通路の中に挿入されることと、この脈動減衰要素が、出口チャンバに面しておりかつ出口通路の横断面全体にわたって延びる入口バッフルと、この入口バッフルとは反対側に位置している、出口通路の横断面全体にわたって延びる出口バッフルとを有することと、少なくとも１つの反射チャンバが入口バッフルと出口バッフルとの間に設けられていることと、入口バッフルと出口バッフルの各々が、それぞれに他のバッフル上の反射表面に面している少なくとも１つの通路を有することとによって、本発明によって実現される。
【０００５】
本発明による解決策の利点が、減衰要素がシリンダヘッド内の出口通路の中に挿入されてよく、したがって、特に、独立した大きな減衰チャンバをその減衰要素が持たず、および、減衰のために必要とされる体積に対してその減衰要素の出口チャンバと相互作用するので、その減衰要素が比較的にわずかな空間しか必要としないという点に見出される。
【０００６】
本発明による減衰要素は、脈動のためのばねに機械的に類似した形で作用する出口チャンバと、機械的な類似性において質量として有効なパイプシステム内の冷媒の量との間のあらゆる結合を抑止し、したがって、この結果として、最適の形で脈動が抑止されることが可能である。
【０００７】
特に有利な解決策が、冷媒圧縮機の基本周波数の高次高調波で互いに打ち消し合う定在波がこの減衰要素内で形成されるように減衰要素が設計されることを可能にする。この解決策の利点が、減衰要素内で形成される互いに打ち消し合う定在波が冷媒圧縮機の基本周波数でなくこの基本周波数の高次高調波であるように減衰要素が単に構成されているので、その減衰要素が省スペース設計であることが可能であり、および、このことが、パイプシステム内の脈動が基本周波数で生じるのではなく基本周波数の高次高調波で生じるので、脈動の抑止のために十分であり、および、したがって、互いに打ち消し合う基本周波数の定在波が、非常に大きな体積によって設計されることが必要な減衰要素を結果的にもたらす要素において形成されることが可能であるように、減衰要素を構成することが不要であるという点に見い出される。これとは反対に、減衰要素の構成が、基本周波数の高次高調波を含むべきである基本周波数の高次高調波で互いに打ち消し合う定在波に対して十分であり、この基本周波数の高次高調波において脈動が生じる。
【０００８】
互いに打ち消し合いかつ基本周波数の高次高調波に相当する幾つかの定在波が減衰要素内で形成されることが、さらにより有利である。したがって、この解決策は、基本周波数の幾つかの異なる高調波で互いに打ち消し合う定在波の提供によって、出口チャンバからのパイプシステムのいわゆる「広帯域減結合」を可能にする。
【０００９】
本発明に関しては、基本周波数は、それぞれの出口チャンバの中への１回転毎の冷媒の放出の回数を冷媒圧縮機の回転速度に乗算した積に一致する周波数として理解されなければならない。
【００１０】
原則的に、その通路は、入口バッフル内とそれぞれの出口バッフル内の開口として提供されることが可能である。
【００１１】
しかし、特に有利な解決策が、反射チャンバにまで到達するパイプ部品として少なくとも１つの通路が各バッフル内に形成されることを可能にする。
【００１２】
この点で、このパイプ部品が、それぞれの他のバッフル上に設けられている反射表面に面していることが好ましい。
【００１３】
こうした通路は、特に、内側開口を有し、この内側開口において、通路に比較して反射チャンバに向かう断面積の急増が生じ、すなわち、少なくとも１つの通路のその各々が、断面積の急増を伴って、入口バッフルと出口バッフルとの間の反射チャンバの中に開く。
【００１４】
この結果として、減衰要素の減衰効果が簡単に最適化できる。
【００１５】
この点において、内側開口は、それぞれに他のバッフルから一定の距離を置いて配置されている。
【００１６】
この点において、内側開口は、それぞれの通路を有するバッフルに対してよりも、それぞれに他のバッフルに対してより近く配置されていることが好ましい。
【００１７】
特に、１つのバッフルの少なくとも１つのパイプ部品が、内側末端区域によってそれぞれに他のバッフルのパイプ部品と重なり合うように配置されることが可能にされる。
【００１８】
この点において、パイプ部品が内側末端区域の領域内で互いに連結させられていることが好ましい。
【００１９】
それぞれのバッフル内の通路の流れ断面積（ｆｌｏｗ  ｃｒｏｓｓ  ｓｅｃｔｉｏｎ）に関して、さらに詳細な説明はこれまで行ってこなかった。例えば、一方のバッフル内の少なくとも１つの通路が他方のバッフル内の少なくとも１つの通路と概ね同じ流れ断面積を有することが特に有利である。
【００２０】
本発明による冷媒圧縮機の特に有利な実施態様の１つが、入口バッフルが幾つかの通路を有することを可能にする。
【００２１】
幾つかの通路が提供される時には、例えば、必要に応じてこれらの通路を入口バッフル内に配置することが想定可能である。
【００２２】
この点において、その幾つかの通路が減衰要素の中心軸線の周りに配置されていることが特に有利である。
【００２３】
構造的観点から見て特に有利な解決策が、その幾つかの通路が回転対称の形でその中心軸線の周りに配置されていることを可能にする。
【００２４】
これに加えて、出口バッフルが幾つかの通路を有することが同様に有利である。
【００２５】
出口バッフルの幾つかの通路が減衰要素の中心軸線の周りに配置されていることが特に有利である。
【００２６】
更に、出口バッフルの幾つかの通路が回転対称の形で中心軸線の周りに配置されていることが、この解決策にとって特に適切である。
【００２７】
そのフローレシオ（ｆｌｏｗ  ｒａｔｉｏ）に関する最適の解決策が、入口バッフルの少なくとも１つの通路の流れ断面積の合計が出口通路の流れ断面積の２５％よりも大きいことを可能にする。
【００２８】
入口バッフルの少なくとも１つの通路の流れ断面積の合計が出口通路の流れ断面積の４０％よりも大きいことがさらに適切である。
【００２９】
さらに、出口バッフルの少なくとも１つの通路の流れ断面積の合計が出口通路の流れ断面積の２５％よりも大きいことが同様に有利である。
【００３０】
出口バッフルの幾つかの通路の流れ断面積の合計が出口通路の流れ断面積の４０％よりも大きいことが、さらに適切である。
【００３１】
しかし、本発明による解決策の範囲内において、入口バッフルと出口バッフルとに加えて１つまたは幾つかの中間バッフルを備えることも想定可能である。
【００３２】
本発明による解決策によって最適な仕方で減衰要素を配置することが可能であるために、減衰要素が外側装着要素によって所定の位置に固定されることが可能にされることが好ましい。
【００３３】
バッフルの１つが、装着要素として働くフランジ区域を備えており、および、したがって、減衰要素のための取付フランジと同時にシリンダヘッド内に挿入されることが可能であることが、特に有利である。
【００３４】
本発明による解決策の追加の特徴と利点とが、以下の説明と、一実施態様を図示する図面との主題である。
【発明を実施するための最良の形態】
【００３５】
ピストン圧縮機として本発明によって設計されておりかつ図１に部分的に示されている容積形圧縮機の圧縮機ハウジング１０が、弁板１４を有するシリンダハウジング１２を備え、この弁板１４上にシリンダヘッド１８が配置されており、このシリンダヘッド１８は、ガスケット１６によって密閉されており、および、そのシリンダヘッド１８内の分割壁２６によって互いに隔てられている入口チャンバ２２と出口チャンバ２４とを弁板１４によって形成する。
【００３６】
これに加えて、シリンダヘッド１８は、シリンダヘッド１８のカバー３０内に配置されていることが好ましくかつ出口通路３２を形成する短い連結パイプ２８を備えており、および、この出口通路３２の中を通して圧縮冷媒が出口チャンバ２４から外に出てパイプ連結部３４の中に入ることが可能である。
【００３７】
パイプ連結部３４は、短い連結パイプ２８の連結表面３６上に配置されかつこの連結表面３６上に取り付けられることが可能である。
【００３８】
出口チャンバ２４から出て行く冷媒の流れの脈動を減衰させるために、図１から図６に示されているように入口バッフル４２と出口バッフル４４とを有する、全体として番号４０で示されている減衰要素が、あらゆる場合に存在する短い連結パイプ２８内の連結通路３２の中に挿入される。
【００３９】
この結果として、本発明による減衰要素４０の使用が、圧縮機ハウジング１０内における空間要件の増大を全く生じさせない。
【００４０】
入口バッフル４２は、パイプ部品４８ａ、４８ｂによって形成されている２つの通路４６ａ、４６ｂを備え、および、このパイプ部品４８ａ、４８ｂは、出口チャンバ２４に面する入口開口５２ａ、５２ｂから、出口バッフル４４に面する第１の内側開口５４ａ、５４ｂまで、距離ＲＥにわたって延びる。
【００４１】
その２つの通路４６ａ、４６ｂが減衰要素４０の中心軸線５６に関して対称であるように配置されていることが好ましい。更に、第１の内側開口５４ａ、５４ｂは出口バッフル４４から距離ＡＥに配置されており、および、各々が、出口バッフル４４によって形成されている出口バッフル４４の閉じられた反射表面５８ａ、５８ｂに面しており、したがって、通路４６ａ、４６ｂの中を通過する脈動振動が、最初に、第１の内側開口５４ａ、５４ｂにおける断面積の急増を伴って、出口通路３２と出口バッフル４４とによって限定されているチャンバ５０ａ、５０ｂの中に入り、および、その次に、出口バッフル４４の反射表面５８ａ、５８ｂにおいて反射され、これによって部分的に反射されて通路４６ａ、４６ｂを通って戻されるか、または、パイプ部品４８ａ、４８ｂの外側に位置しておりかつパイプ部品４８ａ、４８ｂを取り囲むチャンバ６０ａ、６０ｂの中に反射され、および、このチャンバ６０ａ、６０ｂは、一方では、短い連結パイプ２８の出口通路３２によって限定され、かつ、他方では、パイプ部品４８ａ、４８ｂによって、および、出口チャンバ２４に向かって入口バッフル４２によって、すなわち、入口バッフル４２の反射表面６２ａ、６２ｂによって限定されている。反射表面５８ａ、５８ｂと反射表面６２ａ、６２ｂは互いから距離ＢＥを有し、この距離ＢＥはＲＥ＋ＡＥよりも幾分か大きい。
【００４２】
第２に、これらの反射表面６２ａ、６２ｂから距離ＡＡに配置されている通路６６ａ、６６ｂの内側開口６４ａ、６４ｂは、それらの反対側に位置しているこれらの反射表面に再び関連付けられ、したがって、通路６６ａ、６６ｂに比較して第２の内側開口６４ａ、６４ｂと反射チャンバ６０ａ、６０ｂとの間で断面積の急増が結果的に生じ、および、通路６６ａ、６６ｂは、出口バッフル４４の側面上に形成されており、すなわち、パイプ部品６８ａ、６８ｂによって形成されており、このパイプ部品６８ａ、６８ｂは、出口バッフル４４から第２の内側開口６４ａ、６４ｂに延び、および、これによって内側開口６４ａ、６４ｂから距離ＲＡに配置されている出口バッフル４４内の出口開口７０ａ、７０ｂから進み、および、出口開口７０ａ、７０ｂはパイプ連結部３４に面しており、および、したがって、それらから出てくる圧縮冷媒がパイプ連結部３４を通って流れ去ることが可能である。
【００４３】
通路６６ａ、６６ｂは、さらに、中心軸線５６に対して対称に配置されており、かつ、通路４６ａ、４６ｂに対して９０°オフセットしている。
【００４４】
さらに、第２の内側開口６４ａは入口バッフル４２から距離ＡＡに配置されている。
【００４５】
説明している実施形態の場合には、内側開口５４ａ、５４ｂと反射表面５８ａ、５８ｂとの間の距離ＡＥと、内側開口６４ａ、６４ｂと反射表面６２ａ、６２ｂとの間の距離ＡＡとが、パイプ部品４８ａ、４８ｂとパイプ部品６８ａ、６８ｂとの長さよりも短く、したがって、パイプ部品４８ａ、４８ｂは、その内側末端区域７２ａ、７２ｂと内側末端区域７４ａ、７４ｂとによって互いに重なり合う。したがって、パイプ部品４８ａ、４８ｂとパイプ部品６８ａ、６８ｂは、その内側末端７２ａ、７２ｂと内側末端７４ａ、７４ｂとの区域内で互いに連結されており、したがって、パイプ部品４８ａ、４８ｂとパイプ部品６８ａ、６８ｂは、互いから一定の距離に配置された入口バッフル４２と出口バッフル４４とを保持する。
【００４６】
さらに、本発明による解決策の出口バッフル４４は、図１と図４に特に示されているように、フランジ区域８０を備えており、したがって、出口バッフル４４は、この出口バッフル４４と連結表面３６との間に位置したシール８２を伴って連結表面３６上に配置されることが可能であり、一方、パイプ連結部３４は、シール８２の反対側に位置したフランジ区域８０の側面上に位置している追加のシール８４を伴って、フランジ区域８０上に密閉された形で配置されることが可能である。
【００４７】
この結果として、本発明による減衰要素４０は簡単に出口通路３２内に取り付けられることが可能であり、および、パイプ部品６８ａ、６８ｂとパイプ部品４８ａ、４８ｂとが、出口バッフル４４から延びる出口通路３２の中に延び、および、出口バッフル４４はフランジ区域８０に一体状に連結されており、および、したがって、画定された形で出口通路３２内の所定の位置に入口バッフル４２を保持する。入口バッフル４２は、実質的に出口通路３２の横断面全体にわたって延び、および、したがって、圧縮冷媒は入口開口５２を経由して減衰要素４０の中に入ることが可能である。
【００４８】
基本周波数の高次高調波に相当する周波数で通常は発生する脈動波が本発明による減衰要素４０内で反射によって減衰させられるので、この本発明による減衰要素４０は、結果的に脈動を減衰させる形で作用する。
【００４９】
入口開口５２ａ、５２ｂと内側開口５４ａ、５４ｂとの結果として反射が開放末端においてその都度生じるので、パイプ部品４８ａ、４８ｂ内で互いに打ち消し合う定在波のための必要条件が、パイプ部品４８ａ、４８ｂの長さＲＥが基本周波数の高調波の２分の１波長λ／２に一致しなければならないということである。
【００５０】
入口開口５４ａ、５４ｂの結果として開放末端において反射が生じ、および、反射表面５８ａ、５８ｂの結果として閉鎖末端において反射が生じるので、内側開口５４ａ、５４ｂと反射表面５８ａ、５８ｂとの間で互いに打ち消し合う定在波のための必要条件が、長さＡＥが基本周波数の高次高調波の４分の１波長λ／４に一致しなければならないということである。
【００５１】
反射が閉鎖末端の間に存在しているので、反射表面５８ａ、５８ｂと反射表面６２ａ、６２ｂとの間での互いに打ち消し合う定在波の必要条件が、距離ＢＥが基本周波数の高次高調波の２分の１波長λ／２に一致しなければならないということである。
【００５２】
最後に、反射表面６２ａ、６２ｂと内側末端６４ａ、６４ｂとの間の距離ＡＡから、互いに打ち消し合う定在波に関して、ＡＡ＝基本周波数の高次高調波のλ／４という必要条件が結果的に生じる。
【００５３】
これに加えて、ＲＡ＝基本周波数の高次高調波のλ／２である時にも、互いに打ち消し合う定在波が生じる。
【００５４】
したがって、減衰要素４０は、基本周波数の幾つかの高次高調波を減衰させるための位置にあり、および、距離ＲＥ、ＢＥ、ＲＡは、脈動中に生じる基本周波数の最低次高調波の１つにその２倍値が一致するように選択され、および、距離ＡＥ、ＡＡは、脈動が生じる基本周波数の最低次高調波の１つにその４倍値が一致するように選択される。
【００５５】
これに加えて、一方では、出口チャンバ２４が、および、他方では、後続のパイプ３４が、脈動減衰のためのチャンバとしても働き、および、したがって、減衰要素４０自体は、大きな体積を有するチャンバを全く必要とせず、したがって、シリンダヘッド１８の小型の構造を可能にし、および、減衰要素４０はその役割において脈動波を単に偏向および反射させるだけでよいので、減衰要素４０は簡単にシリンダヘッド１８内に一体化されることが可能である。
【００５６】
この点において、可能な限り大きな有利な減衰効果を得るために、出口チャンバ２４の容積が、ピストン圧縮機のシリンダ１つ当たりのピストン容積の２倍以上に相当し、さらに適切には３倍以上に相当する大きさであるように選択されることが好ましい。
【図面の簡単な説明】
【００５７】
【図１】シリンダヘッドの区域内の圧縮機ハウジングの一部分の分解組立図を示す。
【図２】下側から見た図１に示すシリンダヘッドの説明図である。
【図３】図２の線３−３に沿った断面を示す。
【図４】本発明による減衰要素の斜視図を示す。
【図５】図４の線５−５に沿った断面を示す。
【図６】図４の線６−６に沿った断面を示す。
【符号の説明】
【００５８】
１０    圧縮機ハウジング
１２    シリンダハウジング
１８    シリンダヘッド
２２    入口チャンバ
２４    出口チャンバ
２６    分割壁
３２    出口通路
３４    パイプ連結部
３６    連結表面
４０    減衰要素
４２    入口バッフル
４４    出口バッフル
４６、６６    通路
５０、６０    反射チャンバ
５８、６２    反射表面
【図１】
2006329197.tif 000003
【図２】
2006329197.tif 000004
【図３】
2006329197.tif 000005
【図４】
2006329197.tif 000006
【図５】
2006329197.tif 000007
【図６】
2006329197.tif 000008